(57)【特許請求の範囲】
【請求項１】
液透過性の表面シート、液不透過性の裏面シート、及び前記表面シートと前記裏面シートとの間に配置される吸収体と、を有し、前記吸収性物品の厚み方向において前記吸収体を圧縮した圧縮部と、前記厚み方向において前記表面シートと前記吸収体とを厚み方向において圧縮した線状圧搾部と、が形成された吸収性物品であって、
前記吸収体は、着用者の排泄口に対向して配置される排泄口当接領域の中心を含み、かつ前記圧縮部が形成された第１領域と、前記第１領域よりも前記吸収性物品の幅方向における両外側に配置され、かつ前記圧縮部が形成された第２領域と、前記第２領域よりも前記幅方向における両外側に配置された第３領域と、を備えており、
前記線状圧搾部は、前記第２領域において前記吸収性物品の長手方向に延びて形成されており、
前記第３領域における前記吸収体の密度は、前記第１領域における前記吸収体の密度よりも低く、かつ前記第２領域における前記吸収体の密度よりも低く、
前記第２領域における前記吸収体の密度は、前記第１領域における前記吸収体の密度よりも高い、吸収性物品。
【請求項２】
前記第２領域の前記幅方向の長さは、前記線状圧搾部の前記幅方向の長さよりも長い、請求項１に記載の吸収性物品。
【請求項３】
前記第２領域の前記長手方向の長さは、前記第１領域の前記長手方向の長さよりも長い、請求項１又は請求項２に記載の吸収性物品。
【請求項４】
前記第２領域よりも前記幅方向における内側であって、前記第１領域よりも前記長手方向における後方には、第４領域が設けられており、
前記第４領域における前記吸収体の密度は、前記第１領域における前記吸収体の密度よりも低く、かつ前記第２領域における前記吸収体の密度よりも低い、請求項３に記載の吸収性物品。
【請求項５】
前記第２領域は、前記排泄口当接領域の中心を通りかつ前記幅方向に沿った中心仮想線と交わる中心交点から、前記吸収性物品の長手方向外側に向かうに連れて前記幅方向外側に広がる曲線形状である、請求項４に記載の吸収性物品。
【請求項６】
前記第１領域の前端部を通り、かつ前記幅方向に延びる第１幅方向仮想線と、前記第１領域の後端部を通り、かつ前記幅方向に延びる第２幅方向仮想線との間に形成された前記線状圧搾部は、前記第２領域に沿った曲線形状である、請求項５に記載の吸収性物品。
【発明の詳細な説明】
【技術分野】
【０００１】
本発明は、生理用ナプキン等の吸収性物品に関し、体液を吸収した際の吸収性能の低下を抑制することができる吸収性物品に関する。
【背景技術】
【０００２】
特許文献１には、液透過性の表面シートと、液不透過性の裏面シートと、表面シートと裏面シートとの間に配置される吸収体とを有する吸収性物品としての生理用ナプキンにおいて、吸収性物品の幅方向における吸収体の端部に、吸収性物品の厚み方向に吸収体を圧縮した圧縮部が形成された圧縮領域を有する生理用ナプキンが記載されている。特許文献１の生理用ナプキンの圧縮領域には、圧縮部と併せて、表面シートと吸収体を厚み方向に圧縮した圧搾溝が形成されている。吸収体の幅方向における端部の圧縮領域に圧縮部及び圧搾溝が形成されているため、排泄口から排泄された体液を、圧縮部及び圧搾溝によって吸収し、体液の横漏れを抑制することができる。
【先行技術文献】
【特許文献】
【０００３】
【特許文献１】特開２００９−１２５４８５号公報（図８、段落００５３等）
【発明の概要】
【発明が解決しようとする課題】
【０００４】
しかしながら、上述の生理用ナプキンには、以下のような問題があった。
上述の生理用ナプキンは、吸収体の幅方向における両端部に圧縮領域が設けられており、圧縮領域の間の吸収体には、圧縮部が形成されていない非圧縮領域が設けられている。非圧縮領域における吸収体の密度は、圧縮領域における吸収体の密度よりも低い。比較的密度の低い非圧縮領域は、圧縮領域よりも体液を吸収した際に形状を維持し難く、変形し易い。体液を吸収した吸収体が変形すると、吸収体の上方に配置された表面シートと吸収体との距離が一定に維持されない。よって、表面シートから吸収体への体液を円滑に移行できず、吸収性能が低下するおそれがある。
【０００５】
本発明は、上述の課題に鑑みてなされたものであり、体液の横漏れを防止することができ、かつ体液を吸収した際の吸収体の変形を抑制し、吸収性能の低下を抑制することができる吸収性物品を提供することを目的とする。
【課題を解決するための手段】
【０００６】
上述した課題を解決するため、本開示に係る吸収性物品は、液透過性の表面シート（表面シート１０）、液不透過性の裏面シート（裏面シート２０）、及び前記表面シートと前記裏面シートとの間に配置される吸収体（吸収体３０）を有し、前記吸収性物品の厚み方向において前記吸収体を圧縮した圧縮部（圧縮部）と、前記厚み方向において前記表面シートと前記吸収体とを厚み方向において圧縮した線状圧搾部（線状圧搾部８０）と、が形成された吸収性物品であって、着用者の排泄口に対向して配置される排泄口当接領域の中心を含み、かつ前記圧縮部が形成された第１領域（第１領域Ａ１）と、前記第１領域よりも前記吸収性物品の幅方向両側方に配置され、かつ前記圧縮部が形成された第２領域（第２領域Ａ２）と、前記第２領域よりも前記幅方向両側方に配置された第３領域（第３領域Ａ３）と、を備えており、前記線状圧搾部は、前記第２領域において前記吸収性物品の長手方向に延びて形成されており、前記第３領域における前記吸収体の密度は、前記第１領域における前記吸収体の密度よりも低く、かつ前記第２領域における前記吸収体の密度よりも低いことを要旨とする。
【発明の効果】
【０００７】
排泄口当接領域の中心を含む第１領域は、吸収体が圧縮された圧縮部が形成されているため、圧縮部が形成されていない領域と比較して、体液を吸収した場合における収体の変形を抑制できる。よって、表面シートと吸収体との距離のばらつきを抑制し、表面シートと吸収体との距離をほぼ一定に維持して、体液を吸収した際の吸収性能の低下を抑制できる。更に、第１領域は、吸収体が圧縮されていない領域と比較して、幅方向外側から内側に向かって力が掛かった際に変形し難く、第１領域が排泄口に対向した状態を維持しやすくなる。
【０００８】
また、吸収体の第１領域よりも幅方向外側には、圧縮部及び線状圧搾部が形成された第２領域が設けられている。第２領域を備えることにより、第１領域において吸収した体液を保持し、体液の横漏れを防止できる。
【０００９】
更に、第２領域の幅方向外側には、第１領域及び第２領域よりも密度が低い第３領域が設けられている。第３領域の吸収体は、第１領域等よりも密度が低く、着用者の脚等が吸収体の幅方向両側部に当たった際に変形し易い。よって、着用者の脚等によって幅方向外側から幅方向内側に押圧された際における着用者への抵抗を低減でき、着用者の装着感を向上させることができる。また、第３領域が変形することにより、フィット性を向上させることができる。
【図面の簡単な説明】
【００１０】
【図１】第１の実施形態に係る吸収性物品の肌当接面側から見た平面図である。
【図２】図１に示す吸収性物品の背面図である。
【図３】図１に示すＡ−Ａ断面の模式断面図である。
【図４】第２の実施形態に係る吸収性物品の肌当接面側から見た平面図である。
【図５】第３の実施形態に係る吸収性物品の肌当接面側から見た平面図である。
【図６】第４の実施形態に係る吸収性物品の肌当接面側から見た平面図である。
【発明を実施するための形態】
【００１１】
（第１の実施形態）
図１及び図２を参照して、第１の実施形態に係る吸収性物品１について説明する。図１は、吸収性物品の平面図であり、図２は、吸収性物品の背面図である。図３は、図１に示すＡ−Ａ断面の模式断面図である。本実施形態に係る吸収性物品１は、例えば、生理用ナプキンである。
【００１２】
吸収性物品１は、着用者の肌に当接する表面シート１０と、液体を透過しない液不透過性の裏面シート２０と、吸収体３０とを有する。吸収体３０は、表面シート１０と裏面シート２０との間に配設される。従って、吸収体３０は、図１及び図２において破線で示される。吸収体３０は、吸収性物品１の長手方向Ｌ及び幅方向Ｗにおける中央部分に配設される。
【００１３】
吸収性物品１は、図１に示す平面視にて、長手方向Ｌに直交する幅方向Ｗにおいて吸収体３０の外側に設けられるウイング部４３,４４を備える。更に、吸収性物品１は、幅方向Ｗにおいて吸収体３０の外側に設けられるサイドシート４１，４２を備える。
【００１４】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１５】
裏面シート２０は、表面シート１０の長さと略同一の長さを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。裏面シート２０は、不透液性且つ透湿性であることが望ましく、例えばポリエチレンやポリプロピレン等のオレフィン系樹脂に無機充填剤を溶融混練したものを延伸処理した微多孔性シートによって構成することができる。
【００１６】
吸収体３０は、親水性繊維、パルプを含む。吸収体３０は、経血などの体液を吸収可能な材料によって形成される。吸収体３０は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００１７】
本実施の形態に係る吸収体３０は、綿状パルプや合成パルプ等を積層したパルプを保護紙（図示せず）で包むことによって構成されている。保護紙は、パルプの形状を保持するためのものであり、例えばクレープ紙やティッシュペーパーなどを用いることができる。吸収体３０の幅方向における中央に位置する吸収体コア３１（例えば、図３参照）の目付は、例えば、吸収体コア３１よりも幅方向両側部に位置する吸収体の目付よりも高い。具体的には、吸収体コア３１の目付は、１００〜８００ｇ／ｍ２であり、吸収体コア３１の周囲に位置する吸収体（例えば、吸収体コア３１よりも幅方向両側部に位置する吸収体）の目付は、１００〜５００ｇ／ｍ２である。
【００１８】
吸収体３０は、前後方向に延びる形状であり、裏面シート２０よりも略一回り程度小さい。吸収体３０の幅方向Ｗの長さは、成人女性の股間隔に対応しており、概ね５０〜８０ｍｍである。吸収体３０は、ホットメルトなどの接着剤によって裏面シート２０に接着される。また、本実施の形態では、吸収体３０と表面シート１０とは、ホットメルト接着剤６０によって接着されている（図３参照）。
【００１９】
サイドシート４１，４２は、表面シート１０の両側に配設される。サイドシート４１，４２は、表面シート１０と同様の材料から選ぶことができる。但し、サイドシート４１，４２を乗り越えて吸収性物品１外方へ経血が流れることを防止するためには、疎水性又は撥水性を有することが好ましい。サイドシート４１，４２は、吸収体３０の側縁の一部及びウイング部４３，４４を覆う。
【００２０】
吸収性物品１では、表面シート１０、サイドシート４１，４２、及び裏面シート２０の周縁が接合されて、吸収体３０が内封される。表面シート１０と裏面シート２０との接合方法としては、ヒートエンボス加工、超音波、又はホットメルト接着剤のいずれか一つ、又は複数を組み合わせることが可能である。
【００２１】
裏面シート２０において、下着と接触する表面には、複数の領域において粘着剤５０が塗布されている（図２参照）。粘着剤５０は、吸収体の裏面側において長手方向Ｌに沿って間欠的に配置されている。粘着剤５０は、ウイング部４３及びウイング部４４において、下着と接触する表面にも設けられる。使用前の状態では、粘着剤５０は、剥離シート９０に接している。剥離シート９０は、使用前に粘着剤５０が劣化するのを防止している。そして、使用時に着用者によって剥離シート９０が剥離される。
【００２２】
なお、剥離シート９０を有しない吸収性物品においては、吸収性物品を個別に包装する包装シートによって使用前に粘着剤が劣化するのを防止するように構成されていてもよい。粘着剤と包装シートが接する場合には、包装シートの表面には、粘着剤の粘着力を低下させることなく粘着剤を剥離可能にする処理を施すことが望ましい。
【００２３】
表面シート１０には、表面シートを厚み方向に圧縮した表面シート圧搾部１１が形成されている。表面シート圧搾部１１は、格子状に配置されている。吸収体３０には、厚み方向において圧縮された圧縮部７０が形成されている。吸収性物品１には、表面シート１０及び吸収体３０を厚み方向に圧縮した線状圧搾部８０が形成されている。
【００２４】
圧縮部７０は、吸収体の前端部に形成された第１圧縮部７１と、第１圧縮部７１の後方であって、後述する第２領域Ａ２に形成された第２圧縮部７２と、吸収体３０の後端部に形成された第３圧縮部７３と、を有する。
【００２５】
第１圧縮部７１は、吸収体３０の前端部において吸収体の幅方向全体に形成されている。第１圧縮部７１の前端の外形は、吸収体の前端の外形に沿っており、前側に凸状の幅方向に延びる円弧形状である。
【００２６】
第２圧縮部７２は、第１圧縮部７１の後端から後方に向かって延びる。第２圧縮部７２の前端及び後端は、吸収体３０の幅方向端部に位置する。第２圧縮部７２の長手方向における中央は、第２圧縮部７２の前端及び後端よりも幅方向内側に位置する。第２圧縮部７２の形状は、幅方向内側に凸状の長手方向に延びる円弧形状である。
【００２７】
第３圧縮部７３は、吸収体３０の後端部において吸収体３０の幅方向全体に形成されている。第３圧縮部７３の後端の外形は、吸収体３０の後端の外形に沿って形成されており、後側に凸状の幅方向に延びる円弧形状である。
【００２８】
線状圧搾部８０は、第１圧縮部７１から第２圧縮部７２に跨って形成された第１線状圧搾部８１と、第１線状圧搾部８１の後端よりも幅方向内側から後方に向かって延びる第２線状圧搾部８２と、第２線状圧搾部８２の後端よりも幅方向外側から後方に向かって延びる第３線状圧搾部８３と、第３線状圧搾部８３の後端よりも幅方向外側から後方に向かって延びる第４線状圧搾部８４と、を有する。
【００２９】
なお、線状圧搾部８０は、少なくとも表面シート１０及び吸収体３０を厚み方向Ｔに圧搾されて、所定方向に連続する線状に形成されていればよく、種々の構成を採用することができる。例えば、プレス加工やエンボス加工によって形成することができ、その形状は、格子網やハニカム形状であってもよい。
【００３０】
吸収性物品１は、幅方向Ｗにおいて、着用者の排泄口に対向して配置される排泄口当接領域の中心を含む第１領域Ａ１と、第１領域Ａ１よりも幅方向両側方に配置された第２領域Ａ２と、第２領域Ａ２よりも幅方向両側方に配置された第３領域Ａ３と、を備えている。
【００３１】
吸収性物品１は、長手方向Ｌにおいて、着用者の排泄口に対向して配置される排泄口当接領域の中心を含む中央領域Ｂ１と、中央領域よりも前方に配置される前側領域Ｂ２と、中央領域よりも後方に配置される後側領域Ｂ３と、を備える。
【００３２】
排泄口当接領域の中心とは、着用者の排泄口が当接する領域の長手方向Ｌ及び幅方向Ｗの中心である。例えば、ウイング部４３、４４を有する吸収性物品１においては、ウイング部４３、４４の長手方向Ｌの中心が、排泄口当接領域の長手方向Ｌの中心となる。また、ウイング部４３、４４を有しない吸収性物品１においては、吸収体の幅方向の長さ寸法が最も短い位置が、排泄口当接領域の長手方向の中心となる。
【００３３】
第１領域Ａ１には、吸収体コア３１が配置されている。第１領域Ａ１には、吸収体３０を厚み方向に圧縮した第１圧縮部７１が全体に亘って形成されている。第１圧縮部７１は、第１領域Ａ１の幅方向における中心に配置されている。第１圧縮部７１は、長手方向Ｌにおいて、中央領域Ｂ１のみに配置されており、前側領域Ｂ２及び後側領域Ｂ３には、配置されていない。第１領域Ａ１は、吸収体を厚み方向に圧縮した第１圧縮部が形成された領域となる。第１領域は、圧縮部が形成されていない吸収体の領域に比べて密度が高く構成されている。
【００３４】
第２領域Ａ２には、吸収体３０を厚み方向Ｔに圧縮した第２圧縮部７２と、吸収体３０及び表面シート１０を厚み方向Ｔに圧縮した線状圧搾部８０と、が形成されている。第２圧縮部７２は、長手方向Ｌにおいて、中央領域Ｂ１を中心にして前側領域Ｂ２及び後側領域Ｂ３に跨って配置されている。第２領域Ａ２は、吸収体を厚み方向に圧縮した第２圧縮部７２が形成された領域となる。
【００３５】
第３領域Ａ３は、第２領域よりも幅方向外側の領域である。第３領域Ａ３は、吸収体３０が厚み方向Ｔに圧縮されていない非圧縮領域である。すなわち、第３領域Ａ３は、線状圧搾部８０及び圧縮部７０が形成されていない。したがって、第３領域Ａ３は、第１領域Ａ１の第１圧縮部や第２領域Ａ２の第２圧縮部よりも嵩高であり、第３領域Ａ３における吸収体３０の密度は、第１領域Ａ１における吸収体３０の密度よりも低く、かつ第２領域Ａ２における吸収体３０の密度よりも低い。
【００３６】
なお、第３領域Ａ３は、吸収体３０の密度が、第１領域Ａ１における吸収体３０の密度よりも低く、かつ第２領域Ａ２における吸収体３０の密度よりも低く構成された領域であればよく、例えば、吸収体３０の製造過程で吸収体３０が圧縮された領域をも含む概念である。
【００３７】
排泄口当接領域の中心を含む第１領域Ａ１は、吸収体３０が圧縮されているため、吸収体３０が圧縮されていない領域と比較して、体液を吸収した場合における吸収体形を抑制できる。よって、表面シート１０と吸収体３０との距離のばらつきを抑制し、体液を吸収した際の吸収性能の低下を抑制できる。したがって、長時間吸収性能を維持し易くなる。
【００３８】
一方、吸収体３０の第１領域Ａ１よりも幅方向外側には、圧縮部７０及び線状圧搾部８０が形成された第２領域Ａ２が設けられている。第１領域Ａ１において吸収した体液を第２領域Ａ２において保持することができ、体液の横漏れを防止できる。
【００３９】
更に、第２領域Ａ２の幅方向外側には、第１領域Ａ１及び第２領域Ａ２よりも密度が低い第３領域が設けられている。第３領域の吸収体は、第１領域Ａ１等よりも密度が低く、着用者の脚等が吸収体の幅方向両側部に当たった際に変形し易い。よって、着用者の脚等によって幅方向外側から幅方向内側に押圧された際における着用者への抵抗を低減でき、着用者の装着感を向上させることができ、かつフィット性を向上させることができる。更に、第３領域は第２領域よりも密度が低いため、第２領域に引き込んだ体液が第３領域側に移行し難い。第２領域の幅方向両側方に第３領域を設けることにより、体液の横漏れを防止できる。
【００４０】
また、第２領域Ａ２は、排泄口当接領域の中心を通りかつ幅方向に沿った中心仮想線ＥＬと交わる中心交点ＥＰから、吸収性物品の長手方向外側に向かうに連れて幅方向外側に広がる曲線形状である。
【００４１】
排泄口当接領域に対する幅方向外側には、着用者の脚が存在し、その脚の形状は、幅方向内側に向かって凸となる曲線状である。第２領域Ａ２を、第１交点から吸収性物品の長手方向外側に向かうに連れて幅方向外側に広がる曲線形状にすることにより、脚の形状に沿って第２領域Ａ２を配置し、フィット性を向上させることができる。
【００４２】
なお、本実施の形態では、第２領域Ａ２の形状は、中心交点ＥＰから吸収性物品の長手方向外側に向かうに連れて幅方向外側に広がる曲線形状であるが、この構成に限定されない。具体的には、第２領域Ａ２の形状は、例えば、長手方向に延びる直線形状であってもよいし、長手方向に延びる楕円形や長方形であってもよい。
【００４３】
更に、第２領域Ａ２の幅方向の長さは、第２領域に形成された第１線状圧搾部８１の幅方向の長さよりも長く構成されている。線状圧搾部８０は、股間の側圧を受けた際の変形基点になり得る。しかし、線状圧搾部８０は、表面シート１０から吸収体３０までを圧縮しており、線状圧搾部８０が形成された部分の剛性は、吸収体３０のみを圧搾した領域と比較して高くなる。よって、線状圧搾部８０の幅が広くなると、吸収体全体の剛性が高くなり、付け心地が悪化するおそれがある。
【００４４】
よって、第２領域Ａ２の幅を第１線状圧搾部８１の幅よりも長くすることにより、第２領域Ａ２によって変形基点を明確に設けつつ、第１線状圧搾部８１の幅を短くすることによって剛性が高くなり過ぎることを抑制することができる。
【００４５】
なお、本実施の形態では、第２領域Ａ２の幅は、第１線状圧搾部８１の幅よりも長いが、この構成に限定されない。具体的には、第２領域Ａ２の幅が、第１線状圧搾部８１の幅と同じ幅であってもよいし、第１線状圧搾部８１の幅よりも短くてもよい。
【００４６】
また、第２領域Ａ２の長手方向Ｌの長さは、第１領域Ａ１の長手方向Ｌの長さよりも長い。第１領域Ａ１は、最も体液が排出され易い排泄口付近に設けられていればよい。一方、第２領域Ａ２は、変形の基点となるため、股繰り近傍まで長手方向にＬ沿って設けられていることが望ましい。よって、第１領域Ａ１よりも第２領域Ａ２の方が長手方向に長く形成することにより、吸収性能を確保しつつ、身体にフィットさせ易くなる。
【００４７】
なお、本実施の形態では、第２領域Ａ２の長手方向の長さは、第１領域Ａ１の長手方向の長さよりも長いが、この構成に限定されない。具体的には、第２領域Ａ２の長手方向の長さが、第１領域Ａ１の長手方向の長さと同じ長さであってもよいし、第１領域Ａ１の長手方向の長さよりも短くてもよい。
【００４８】
また、第１領域Ａ１の前端部を通り、かつ幅方向Ｗに延びる第１幅方向仮想線ＥＷ１と、第１領域Ａ１の後端部を通り、かつ幅方向Ｗに延びる第２幅方向仮想線ＥＷ２との間に形成された線状圧搾部８０は、第２領域Ａ２に沿った曲線形状である。
【００４９】
第１領域Ａ１は、排泄口当接領域の中心を含み、最も吸収体３０を身体にフィットさせたい領域となる。この第１領域Ａ１よりも幅方向外側に位置する線状圧搾部８０を、第２領域Ａ２に沿った曲線形状とすることにより、脚の外形に沿って変形基点を設け、吸収体３０を身体にフィットさせることができる。
【００５０】
なお、本実施の形態においては、第１線状圧搾部８１のうち第１領域Ａ１よりも幅方向外側に位置する線状圧搾部を、第２領域Ａ２に沿った形状としているが、この構成に限られない。
【００５１】
第２領域Ａ２よりも幅方向における内側であって、第１領域Ａ１よりも長手方向における後方には、第４領域Ａ４が設けられている。第４領域Ａ４は、吸収体３０が厚み方向に圧縮されていない非圧縮領域である。すなわち、第４領域Ａ４は、線状圧搾部８０及び圧縮部７０が形成されていない。したがって、第４領域Ａ４は、第１領域Ａ１の第１圧縮部や第２領域Ａ２の第２圧縮部よりも嵩高であり、第４領域における吸収体の密度は、第１領域Ａ１における吸収体の密度よりも低く、かつ第２領域Ａ２における吸収体の密度よりも低い。
【００５２】
なお、第４領域Ａ４は、吸収体３０の密度が、第１領域Ａ１における吸収体３０の密度よりも低く、かつ第２領域Ａ２における吸収体３０の密度よりも低く構成された領域であればよく、例えば、吸収体３０の製造過程で吸収体が圧縮された領域をも含む概念である。
【００５３】
また、第２領域Ａ２における吸収体の密度が第４領域Ａ４における吸収体の密度よりも高いため、幅方向外側から幅方向内側に力が掛かった際に、第２領域Ａ２を基点に変形させることができる。第４領域Ａ４における吸収体３０の密度が第１領域Ａ１における吸収体３０の密度よりも低いため、第１領域Ａ１の後方に配置された吸収体３０を変形させ易くして、吸収体３０を身体に沿って配置することができる。例えば、第４領域Ａ４が幅方向外側から幅方向内側に向かって押圧された際に、第４領域Ａ４が着用者側に膨出するように変形することにより、中央領域Ｂ１より後方に位置する第４領域Ａ４を身体側に突出させて、身体の隙間に吸収体を配置して、後漏れを防止することができる。
【００５４】
なお、本実施の形態では、第４領域Ａ４が形成されているが、この構成に限定されない。具体的には、第１領域Ａ１の後方に、第１領域Ａ１と同じ密度の領域や第１領域Ａ１よりも高い密度の領域を設けてもよい。
【００５５】
更に、第２領域Ａ２における吸収体３０の密度は、第１領域Ａ１における吸収体３０の密度よりも高く構成されている。第２領域Ａ２における吸収体３０の密度が、第１領域Ａ１における吸収体３０の密度よりも高いため、幅方向外側から押圧された際に、第２領域Ａ２や線状圧搾部を基点に変形して、着用者へのフィット性を高めることができる。一方、第１領域Ａ１の密度が高すぎると、体液の引き込み性が低下する。しかし、第２領域Ａ２の密度が第１領域Ａ１の密度よりも高いため、体液の引き込み性を維持しつつ、フィット性を向上させることができる。
【００５６】
なお、本実施の形態では、第２領域Ａ２における吸収体の密度が、第１領域Ａ１における吸収体の密度よりも高いが、この構成に限定されない。具体的には、第２領域Ａ２における吸収体の密度が、第１領域Ａ１における吸収体の密度と同じであってもよいし、第１領域Ａ１における吸収体の密度よりも低くてもよい。例えば、吸収体を製造する際に、吸収体の厚みをほぼ均一に成型して、第１圧縮部及び第２圧縮部を形成してもよいし、第１領域に対応する部分の吸収体の厚みが厚くなるように成型し、第１領域と第２領域とが同じ厚みになるように第１圧縮部及び第２圧縮部を形成してもよい。このように第１圧縮部及び第２圧縮部を形成した吸収体は、第１領域の密度が第２領域の密度よりも高くなる。
【００５７】
また、第１領域Ａ１、第２領域Ａ２及び第３領域Ａ３における吸収体３０の密度は、第２領域Ａ２の密度が最も高く、次いで第１領域Ａ１の密度が高く、第３領域Ａ３の密度が最も低いことが望ましい。更に、第１領域Ａ１、第２領域Ａ２及び第４領域Ａ４における吸収体３０の密度は、第２領域Ａ２の密度が最も高く、次いで第１領域Ａ１の密度が高く、第４領域Ａ４の密度が最も低いことが望ましい。
【００５８】
なお、吸収体３０の目付及び密度は、例えば、以下の測定方法によって測定することができる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００５９】
なお、厚みは、以下のような測定方法によって測定することができる。具体的には、サンプルの吸収性物品を、液体窒素に含浸させて凍結させた後、剃刀でカットし、常温に戻した後、電子顕微鏡（例えば、キーエンス社ＶＥ７８００）を用いて、５０倍の倍率で測定する。ここで、サンプルの吸収性物品を凍結させる理由は、カット時の圧縮により厚みが変動するのを防ぐためである。
【００６０】
次に、第１の実施形態に係る吸収性物品１の製造方法の一部について説明する。なお、説明しない方法については、既存の方法を用いることができる。吸収性物品の製造方法は、第１ステップとして、表面シート生成工程を行う。具体的には、表面シートを厚み方向Ｔに圧縮加工し、表面シート圧搾部１１を形成する。この圧縮加工は、例えば、加熱及び加圧を行うエンボスロールに表面シート１０を通過させることで、格子状の凹凸加工を形成する。
【００６１】
次いで、第２ステップとして、表面シート接合工程を行う。具体的には、表面シートとサイドシート４１，４２とを、例えば熱溶着によって接着する。
【００６２】
第３ステップとして、吸収体成型工程を行う。具体的には、成型ドラムによって吸収体の材料となるパルプを積層した後、積層したパルプをティッシュ等の保護紙によって包む。そして、保護紙によって包んだ吸収体を厚み方向に圧縮して圧縮部を形成する。なお、第１ステップ及び第２ステップの表面シートの製造工程と、第３ステップの吸収体成型工程の順序は、逆の順序であってもよい。
【００６３】
第４ステップにおいて、接合工程を行う。具体的には、第３ステップにおいて成型した吸収体と、第２ステップにおいて接合した表面シート及びサイドシートをと、を接合する接合工程を行う。
【００６４】
第５ステップにおいて、圧搾工程を行う。具体的には、吸収体３０と表面シート１０とを厚み方向に圧縮し、線状圧搾部８０を形成する。このとき、第２領域の吸収体３０には、予め第２圧縮部が形成されているため、表面シートの吸収体に対する浮きが発生し難くなり、線状圧搾部を容易に形成することができる。
【００６５】
第６ステップにおいて、裏面シート接合工程を行う。具体的には、線状圧搾部を形成した吸収体及び表面シート等と、裏面シートとを接合する。裏面シートを接合した後、接着剤を塗布する工程を備える。上記の工程により、本実施の形態に係る吸収性物品を製造することができる。
【００６６】
（第２の実施形態）
次いで、図４に基づいて第２の実施形態に係る吸収性物品１Ａについて説明する。なお、以下の実施形態の説明においては、第１の実施形態と異なる構成のみ説明し、第１の実施形態と同様の構成については、同符号を用いて説明を省略する。
【００６７】
第２の実施形態に係る吸収性物品１Ａは、第２領域Ａ２及び第３領域Ａ３の形状及び線状圧搾部の形状が異なっている。吸収性物品１Ａの第２領域Ａ２は、第１領域Ａ１の幅方向両側方において長手方向Ｌに延びる直線状である。第１領域Ａ１と第２領域Ａ２とは、幅方向Ｗにおいて隣接している。線状圧搾部８０は、縦長の円形であり、内側線状圧搾部８５と、内側線状圧搾部よりも外側に位置する外側線状圧搾部８６とを有する。第２領域Ａ２内には、内側線状圧搾部８５及び外側線状圧搾部８６の一部が配置されている。また、第３領域Ａ３は、第２領域Ａ２の幅方向両側方において長手方向Ｌに延びる直線状である。
【００６８】
（第３の実施形態）
次いで、図５に基づいて第３の実施形態に係る吸収性物品１Ｂについて説明する。第３の実施形態に係る吸収性物品１Ｂは、第１の実施形態に係る吸収性物品１と、第１領域Ａ１、第２領域Ａ２及び第３領域Ａ３の形状及び吸収体３０の形状が異なっている。吸収性物品１Ｂの線状圧搾部８０は、第２の実施形態に係る吸収性物品１Ａと同じ構成である。
【００６９】
吸収性物品１Ｂの第１領域Ａ１は、中央領域Ｂ１と後側領域Ｂ３とに跨って配置されている。第１領域Ａ１の吸収体３０には、吸収体コア３１が配置されている。第１領域Ａ１の幅方向外側には、吸収体３０の幅方向外側端部に位置する第３領域Ａ３が配置されている。第３領域Ａ３の長手方向の長さは、第１領域Ａ１の長手方向の長さよりも短い。吸収性物品１Ｂの吸収体３０は、第３領域以外の領域は、厚み方向において圧縮されている。吸収体３０の第１領域Ａ１及び第３領域Ａ３以外の領域が、第２領域Ａ２となる。
【００７０】
（第４の実施形態）
次いで、図６に基づいて第４の実施形態に係る吸収性物品１Ｃについて説明する。第４の実施形態に係る吸収性物品１Ｃは、昼用の生理用ナプキンであり、前側領域Ｂ２と後側領域Ｂ３の形状及び長さが同じように構成されている。
吸収性物品１Ｃの中央領域Ｂ１は、吸収性物品１の長手方向中央に位置している。長手方向Ｌにおける中央領域Ｂ１の中心は、排泄口当接領域の中心と一致し、幅方向における中央領域Ｂ１の中心は、排泄口当接領域の中心と一致する。
【００７１】
第２領域Ａ２の長手方向Ｌにおける中心は、吸収性物品１Ｃの長手方向Ｌにおける中心を通り、かつ幅方向に沿った仮想線ＥＬ２上に位置する。第２領域Ａ２の形状は、この仮想線ＥＬ２上の中心点とした円弧形状である。中心点は、吸収体よりも幅方向外側に位置している。第２領域Ａ２は、長手方向Ｌにおける中心から長手方向外側に向かうにつれて幅方向外側に広がる形状である。
【００７２】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【符号の説明】
【００７３】
Ａ１…第１領域、  Ａ２…第２領域、  Ａ３…第３領域、  Ａ４…第４領域、  Ｂ１…中央領域、  Ｂ２…前側領域、  Ｂ３…後側領域、  ＥＬ…中心仮想線、  ＥＰ…中心交点、  Ｌ…長手方向、  Ｔ…厚み方向、  Ｗ…幅方向、  １、１Ａ、１Ｂ、１Ｄ…吸収性物品、  １０…表面シート、  １１…表面シート圧搾部、  ２０…裏面シート、  ３０…吸収体、  ３１…吸収体コア、  ４１，４２…サイドシート、  ４３，４４…ウイング部、  ５０…粘着剤、  ６０…ホットメルト接着剤、  ７０…圧縮部、  ７１…第１圧縮部、  ７２…第２圧縮部、  ７３…第３圧縮部、  ８０…線状圧搾部、  ８１…第１線状圧搾部、  ８２…第２線状圧搾部、  ８３…第３線状圧搾部、  ８４…第４線状圧搾部、  ８５…内側線状圧搾部、  ８６…外側線状圧搾部、  ９０…剥離シート
【図１】
0005651555.tif 000002
【図２】
0005651555.tif 000003
【図３】
0005651555.tif 000004
【図４】
0005651555.tif 000005
【図５】
0005651555.tif 000006
【図６】
0005651555.tif 000007